(57)【要約】      （修正有）【課題】発熱動作と同時に遠赤外線を放出する熱線型発熱体を通じてユーザーの体に向けて遠赤外線を放出することができ、有無線兼用の電源供給方式によって時間や場所にこだわることなく自由に使用できるようにするのはもとより、電力消耗の効率性を極大化することができる遠赤外線乾式座浴シートを提供する。【解決手段】遠赤外線乾式座浴シート１００は、ユーザーが安着するための安着空間を形成し、中心部には高さ方向に貫通孔１１０ａが形成されたクッション胴体部１１０と、前記クッション胴体部に設けられ、発熱を通じて遠赤外線を放出する遠赤外線放出部１２０と、外部バッテリーまたは外部電源のうちのいずれか一つと接続されて電源供給を受け、供給された電源を前記遠赤外線放出部に印加する電源部１３０と、前記遠赤外線放出部の動作を制御する制御部１４０と、を含む。【選択図】図１
0003234096.tif 000002
【実用新案登録請求の範囲】
【請求項１】
ユーザーが安着するための安着空間を形成し、中心部には高さ方向に貫通孔（１１０ａ）が形成されたクッション胴体部（１１０）と、
前記クッション胴体部（１１０）に設けられ、発熱を通じて遠赤外線を放出する遠赤外線放出部（１２０）と、
外部バッテリーまたは外部電源ののうちのいずれか一つと接続されて電源供給を受け、供給された電源を前記遠赤外線放出部（１２０）に印加する電源部（１３０）と、
前記遠赤外線放出部（１２０）の動作を制御する制御部（１４０）と、を含むことを特徴とする、遠赤外線乾式座浴シート。
【請求項２】
前記遠赤外線放出部（１２０）は、
前記クッション胴体部（１１０）の下方に位置し、前記遠赤外線放出部（１２０）を通じて放出される遠赤外線は、前記クッション胴体部（１１０）に形成された前記貫通孔（１１０ａ）を介して上向きに放出されることを特徴とする、請求項１に記載の遠赤外線乾式座浴シート。
【請求項３】
前記電源部（１３０）は、
一方側が前記遠赤外線放出部（１２０）と電気的に接続され、他方側にはＤＣジャック接続具（１３１）が設けられ、
一方側が前記ＤＣジャック接続具（１３１）と電気的に接続され、他方側が外部補助バッテリーと電気的に接続されるジェンダー（１３０ａ）を含むことを特徴とする、請求項１に記載の遠赤外線乾式座浴シート。
【請求項４】
前記電源部（１３０）は、
一方側が前記遠赤外線放出部（１２０）と電気的に接続され、他方側にはＤＣジャック接続具（１３１）が設けられ、
一方側が前記ＤＣジャック接続具（１３１）と電気的に接続され、他方側が外部ＡＣ電源供給端子と電気的に接続されるＡＣアダプター（１３０ｂ）を含むことを特徴とする、請求項１に記載の遠赤外線乾式座浴シート。
【請求項５】
前記クッション胴体部（１１０）内で、前記クッション胴体部（１１０）に安着されるユーザーの体重を感知して体重感知信号を生成する体重感知部（１５０）をさらに含み、
前記制御部（１４０）は、
前記体重感知信号に基づいて前記遠赤外線放出部（１２０）のオンオフ動作を自動で制御することを特徴とする、請求項１に記載の遠赤外線乾式座浴シート。
【請求項６】
前記貫通孔（１１０ａ）に位置し、ユーザーが前記クッション胴体部（１１０）に安着することで前記貫通孔（１１０ａ）が遮られる場合、前記貫通孔（１１０ａ）の照度変化を感知して照度感知信号を生成する照度感知部（１６０）をさらに含み、
前記制御部（１４０）は、
前記照度感知信号に基づいて前記遠赤外線放出部（１２０）のオンオフ動作を自動で制御することを特徴とする、請求項１に記載の遠赤外線乾式座浴シート。
【請求項７】
前記貫通孔（１１０ａ）に位置し、前記貫通孔（１１０ａ）の温度変化をリアルタイムで感知して温度感知信号を生成する温度感知部（１７０）をさらに含み、
前記制御部（１４０）は、
前記温度感知信号を既設定済みの温度値と比較した後、温度差に応じて前記遠赤外線放出部（１２０）の発熱状態を自動で制御して前記貫通孔（１１０ａ）の温度が既設定済みの前記温度値の状態のまま維持させることを特徴とする、請求項１に記載の遠赤外線乾式座浴シート。
【請求項８】
前記制御部（１４０）は、
前記制御部（１４０）と電気的に接続され、ユーザーの操作によって操作信号を生成した後、前記制御部（１４０）に伝達するコントローラー（１４０ａ）を含み、
前記コントローラー（１４０ａ）は、
前記遠赤外線放出部（１２０）のオンオフ動作を物理的に制御するための電源制御スイッチ（１４０ａ−１）と、
前記遠赤外線放出部（１２０）の発熱温度を物理的に制御するためのダイヤルスイッチ（１４０ａ−２）と、を含むことを特徴とする、請求項１に記載の遠赤外線乾式乾式座浴シート。
【請求項９】
前記コントローラー（１４０ａ）は、
前記遠赤外線放出部（１２０）の動作モードを前記制御部（１４０）にて自動で制御するためのモード制御スイッチ（１４０ａ−３）をさらに含むことを特徴とする、請求項８に記載の遠赤外線乾式座浴シート。
【考案の詳細な説明】
【技術分野】
【０００１】
本考案は、遠赤外線乾式座浴シートに関し、より具体的には、発熱動作と同時に遠赤外線を放出する熱線型発熱体を通じてユーザーの体に向けて遠赤外線を放出することができ、有無線兼用の電源供給方式によって時間や場所にこだわることなく自由に使用できるようにするのはもとより、人体自動感知機能を基に発熱動作を自動制御する節電機能を適用することにより電力消耗の効率性を極大化することができる遠赤外線乾式座浴シートに関する。
【背景技術】
【０００２】
最近、現代社会の西欧化及び生活水準の向上に伴い、近頃、椅子で生活する時間が漸次的に増加する趨勢にあり、このような椅子生活の増加傾向に便乗して、正しい姿勢を維持させるとともに体の健康を維持させるための椅子のデザイン及び構造の開発が行われているが、これは、人体の基本的な身体構造及び姿勢に適応して受動的に人体の疲労度を減少させるための目的なので、長期間に亘る椅子生活において直接的に密着される身体部位、すなわち、肛門を含む会陰部などに伝達されて溜まった疲れがとれなくて痔疾や精力減退または尿失禁、前立腺炎症疾患、生理不順などの多様な疾病または疾患の発生が増加しつつある。
【０００３】
したがって、近年は、座浴シート、座浴クッションのような発熱手段が搭載された製品を利用して、ユーザーに座浴に相応する効果を与える座浴製品が開発及び商用されている。
【０００４】
しかし、従来の座浴製品の場合、電源供給方式が有線供給方式であるから、コンセントがない所では使用が不可能であるといったことから、時間、場所に制約を受けるという問題点を持っていた。
【０００５】
また、遠赤外線の放出のためには大面積の面状発熱体を使うようになるが、このとき、面状発熱体は、電線と熱線（発熱体）を接続する接続部位の完全接続が不可能であるので、接続不良及び火事の危険性が存在するという問題点も持っていた。
【０００６】
だけでなく、従来の座浴製品は、大部分プログラムを通じた自動温度調節方式を用いていることから、ユーザーが使用温度を自由自在に調節することができなくて綿密な温度調節ができないという問題点及び不具合を持っていた。
【考案の概要】
【考案が解決しようとする課題】
【０００７】
本考案は、発熱動作と同時に遠赤外線を放出する熱線型発熱体を通じてユーザーの体に向けて遠赤外線を放出することができ、有無線兼用の電源供給方式によって時間や場所にこだわることなく自由に使用できるようにするのはもとより、人体自動感知機能を基に発熱動作を自動制御する節電機能を適用することにより電力消耗の効率性を極大化することができる遠赤外線乾式座浴シートを提供することをその目的とする。
【課題を解決するための手段】
【０００８】
本考案の一実施例による遠赤外線乾式座浴シートは、ユーザーが安着するための安着空間を形成し、中心部には高さ方向に貫通孔が形成されたクッション胴体部と、前記クッション胴体部に設けられ、発熱を通じて遠赤外線を放出する遠赤外線放出部と、外部バッテリーまたは外部電源のうちのいずれか一つと接続されて電源供給を受け、供給された電源を前記遠赤外線放出部に印加する電源部と、前記遠赤外線放出部の動作を制御する制御部と、を含むことを特徴とする。
【０００９】
一実施例において、前記遠赤外線放出部は、前記クッション胴体部の下方に位置し、前記遠赤外線放出部を通じて放出される遠赤外線は、前記クッション胴体部に形成された前記貫通孔を介して上向きに放出されることを特徴とする。
【００１０】
一実施例において、前記電源部は、一方側が前記遠赤外線放出部と電気的に接続され、他方側にはＤＣジャック接続具が設けられ、一方側が前記ＤＣジャック接続具と電気的に接続され、他方側が外部補助バッテリーと電気的に接続されるジェンダーを含むことを特徴とする。
【００１１】
一実施例において、前記電源部は、一方側が前記遠赤外線放出部と電気的に接続され、他方側にはＤＣジャック接続具が設けられ、一方側が前記ＤＣジャック接続具と電気的に接続され、他方側が外部ＡＣ電源供給端子と電気的に接続されるＡＣアダプターを含むことを特徴とする。
【００１２】
一実施例による本考案は、前記クッション胴体部内で、前記クッション胴体部に安着されるユーザーの体重を感知して体重感知信号を生成する体重感知部をさらに含み、前記制御部は、前記体重感知信号に基づいて前記遠赤外線放出部のオンオフ動作を自動で制御することを特徴とする。
【００１３】
一実施例による本考案は、前記貫通孔に位置し、ユーザーが前記クッション胴体部に安着することで前記貫通孔が遮られる場合、前記貫通孔の照度変化を感知して照度感知信号を生成する照度感知部をさらに含み、前記制御部は、前記照度感知信号に基づいて前記遠赤外線放出部のオンオフ動作を自動で制御することを特徴とする。
【００１４】
一実施例による本考案は、前記貫通孔に位置し、前記貫通孔の温度変化をリアルタイムで感知して温度感知信号を生成する温度感知部をさらに含み、前記制御部は、前記温度感知信号を既設定済みの温度値と比較後、温度差に応じて前記遠赤外線放出部の発熱状態を自動で制御して前記貫通孔の温度が既設定済みの前記温度値の状態のまま維持させることを特徴とする。
【００１５】
一実施例において、前記制御部は、前記制御部と電気的に接続され、ユーザーの操作によって操作信号を生成後、前記制御部に伝達するコントローラーを含み、前記コントローラーは、前記遠赤外線放出部のオンオフ動作を物理的に制御するための電源制御スイッチと、前記遠赤外線放出部の発熱温度を前記制御部にて自動で制御するためのダイヤルスイッチと、を含むことを特徴とする。
【００１６】
一実施例において、前記コントローラーは、前記遠赤外線放出部の動作モードを前記制御部にて自動で制御するためのモード制御スイッチをさらに含むことを特徴とする。
【考案の効果】
【００１７】
本考案によれば、有無線兼用の電源供給方式を通じて時間、場所にこだわることなく自由に遠赤外線乾式座浴シートを利用することができ、特に発熱動作と同時に遠赤外線を放出する熱線型発熱体を通じてユーザーの体に向けて遠赤外線を放出することができるという利点を有する。
【００１８】
特に本考案によれば、誰もが携帯するスマートホン用補助バッテリーを用いて  遠赤外線乾式座浴シートを利用できるようにすることで、使い勝手を極大化して使用範囲を拡張させることができるという利点を有する。
【００１９】
また本考案によれば、人体自動感知機能を基に発熱動作を自動制御する節電機能を適用することにより、電力消耗の効率性を極大化することができるという利点を有する。
【００２０】
特に本考案によれば、補助バッテリー接続用ジェンダーとＡＣ電源供給用アダプターをすべて提供することで、補助バッテリーの使用が困難な場合、補助バッテリーと同一の出力量を有するアダプターを接続して電源を供給することができる互換性の利点を有する。
【図面の簡単な説明】
【００２１】
【図１】本考案の一実施例による遠赤外線乾式座浴シート１００の構成を示す図である。
【図２】図１に示された遠赤外線乾式座浴シート１００の全体的な形状を示す図である。
【図３】図２に示された電源部１３０をより具体的に示す図である。
【図４】図２に示されたコントローラー１４０ａをより具体的に示す図である。
【考案を実施するための形態】
【００２２】
以下、添付した図面を参照して、本考案の実施例について、本考案の属する技術分野における通常の知識を有する者が容易に実施できるように詳しく説明する。本考案は様々な異なる形態で具現されることができ、ここで説明するこれらの実施例に限定されない。
【００２３】
本考案を明確に説明するために説明と関係ない部分は省略し、明細書の全般に亘って同一または類似の構成要素に対しては同じ図面符号を付してある。
【００２４】
また、これらの実施例において、同一の構成を有する構成要素に対しては同一の符号を使用して代表的な実施例でのみ説明しており、それ以外の他の実施例では代表的な実施例と異なる構成のみについて説明することにする。
【００２５】
明細書の全般に亘って、ある部分が他の部分と「接続」されていると述べるとき、これは「直接的に接続」されている場合だけではなく、他の部材を介在して「間接的に接続」されたものをも含む。また、ある部分がある構成要素を「含む」と述べるとき、これは特に相反する記載がない限り、他の構成要素を除くことではなく、他の構成要素をさらに含むことを意味する。
【００２６】
図１は本考案の一実施例による遠赤外線乾式座浴シート１００の構成を示す図であり、図２は図１に示された遠赤外線乾式座浴シート１００の全体的な形状を示す図である。
【００２７】
図１及び図２を一緒に参照すると、本考案の一実施例による遠赤外線乾式座浴シート１００は、大きく、クッション胴体部１１０、遠赤外線放出部１２０、電源部１３０、制御部１４０、体重感知部１５０、照度感知部１６０、及び温度感知部１７０を含んで構成できる。
【００２８】
まず、クッション胴体部１１０は、ユーザーが安着するための安着空間（あるいは着座空間）を形成し、内部には衝撃吸収及び緩和のための衝撃吸収剤が充填されており、中心部には高さ方向に貫通孔１１０ａが形成されている。
【００２９】
この時、貫通孔１１０ａの底面は開口しておらず、上部のみが開口している形態であり、底面には遠赤外線放出部１２０が設けられる。ここで、貫通孔１１０ａの位置は、クッション胴体部１１０の全面のうちユーザーが着座した時男女の肛門あるいは性器の周辺がすべて収められる大きさ及び位置に決定され、望ましくは、クッション胴体部１１０の上面を基準として真ん中または中央に近接した位置に決定することができる。貫通孔１１０ａは、楕円形に形成され、楕円の長手方向の長さは１０ｃｍ〜２８ｃｍ、短手方向の長さは５ｃｍ〜１８ｃｍとすることができる。
【００３０】
遠赤外線放出部１２０は、クッション胴体部１１０の下側に設けられ、発熱を通じて遠赤外線を放出する役目をする。
【００３１】
ここで、遠赤外線放出部１２０の場合、電気導通時に抵抗値によって発熱しながら遠赤外線を放出する多数本の極細線を互いに接触するようにまとめた後、これらを一つの束にして一本の熱線を作る。この時、該束を遠赤外線が放出される電気双極子輻射がよく放射できる効果的な幾何学的構造にするために、互いに異なる抵抗値を有する２つ以上のグループに作った後、互いに抵抗値が異なる各グループ別に同一の抵抗値を有する極細線１本あるいは２本以上を作るようになる。一般に大衆化されたスマートホンの補助バッテリーは出力電圧が５Ｖであり、最大放電電流量は通常２Ａが大部分である。もし最大放電電流が２Ａを超える場合、補助バッテリー保護回路が動作されながら放電電源が自動で遮断されるようになる。
【００３２】
したがって、大衆化された５Ｖの補助バッテリーで発熱動作をさせながら、補助バッテリーの保護回路が作動しないようにするために、本考案では遠赤外線放出部１２０に用いられる熱線（発熱体）の全抵抗値を２．５Ω〜３．５Ωに設定する。
【００３３】
このような熱線の場合、２種の相異なる材質（合金金属）を用いて多数本の極細線を作り、それぞれの極細線を互いに接触するようにまとめて一つの束の熱線を作るようになる。このとき、１種材質の極細線は、鋼繊維であるＮＡＳＬＯＮであり、極細線１本の太さは１２ナノメートル、本数は５５０本にする。
【００３４】
他の１種材質の極細線は、ニッケルと銅の単一金属にし、配合割合の場合、ニッケル２０〜２５重量％、銅７５〜８０重量％にして作り、合金極細線１本の太さは１００ナノメートル（この時、１本の抵抗値は３６Ω）、本数は１４本にする。
【００３５】
総５６４本の極細線を一つの束にして電気的通電接触させ、合成された極細線バンドル（束）の外面を高温繊維で重なるようにラッピング（ｗｒａｐｐｉｎｇ）して１次被覆を形成し、その上に２次でテプロン材質で２次被覆を形成するようになる。
【００３６】
この時、高温繊維として、アラミド、ポリアリレート（ＰＯＬＹＡＲＹＬＡＴＥ）またはザイロンのいずれか一つ以上が適用できる。
【００３７】
特に、このようにして作られた熱線は、１ｍ当たり抵抗値は２．３Ωになるが、２．５Ω〜３．５Ωの抵抗値になるように熱線の長さを１．０９ｍ〜１．５２ｍにして本考案の遠赤外線放出部１２０の熱線（発熱体）として利用するようになる。
【００３８】
このような遠赤外線放出部１２０は、発熱体を通じて放出される遠赤外線をクッション胴体部１１０に形成された貫通孔１１０ａを介してクッション胴体部１１０に着座されたユーザーの体へ放出する。
【００３９】
電源部１３０は、外部バッテリー（スマートホン補助バッテリーなど）または外部電源（ＡＣ電源）のいずれか一つと接続されて電源供給を受け、供給された電源を遠赤外線放出部１２０に印加する役目をする。これについては、図３を参照してより具体的に説明する。
【００４０】
図３は図２に示された電源部１３０をより具体的に示す図である。
【００４１】
図３（ａ）に示すように、電源部１３０は、基本的に一方側が遠赤外線放出部１２０と電気的に接続され、他方側には、外部補助バッテリーと電気的に接続されるジェンダー１３０ａまたは外部ＡＣ電源供給端子と電気的に接続されるＡＣアダプター１３０ｂと接続されるためのＤＣジャック接続具１３１が構成される。
【００４２】
ジェンダー１３０ａの一方側には、ＤＣジャック接続具１３１と接続されるようにＤＣジャックが設けられ、他方側には、外部補助バッテリーと接続されるようにＵＳＢジャックが設けられる。また、ＡＣアダプター１３０ｂの一方側には、ＤＣジャック接続具１３１と接続されるようにＤＣジャックが設けられ、他方側には、外部ＡＣ電源供給端子と接続されるようにアダプターが設けられる。
【００４３】
この時、ジェンダー１３０ａのＤＣジャックとＡＣアダプター１３０ｂのＤＣジャックとは、それぞれＤＣジャック接続具１３１と着脱自在であるため、電源供給環境によってジェンダー１３０ａまたはＡＣアダプター１３０ｂの自由な変更結合が可能になる。
【００４４】
例えば、外部補助バッテリーを用いて遠赤外線放出部１２０に電源を印加しようとする場合、図３（ｂ）のようにジェンダー１３０ａのＤＣジャックをＤＣジャック接続具１３１に結束すれば良く、ＡＣ電源を用いて遠赤外線放出部１２０に電源を印加しようとする場合、図３（ｃ）のようにＡＣアダプター１３０ｂのＤＣジャックをＤＣジャック接続具１３１に結束すれば良い。
【００４５】
さらに図１及び図２に戻ってきて、制御部１４０は電源部１３０と繋がれた外部バッテリーあるいは外部ＡＣ電源端子から供給される電源が遠赤外線放出部１２０に印加される過程で、印加される電源の印加状態及びそれに伴う遠赤外線放出部１２０の動作を自動で制御する役目をする。このような制御部１４０は一種のＭＣＵを意味する。
【００４６】
より具体的に、遠赤外線放出部１２０は、一般的に電源が供給される場合、自動で電源状態がオン状態になるが、本願考案では、中間に制御部１４０で遠赤外線放出部１２０のオン状態またはオフ状態を制御するようになる。
【００４７】
すなわち、電源部１３０を通じて供給される電源が遠赤外線放出部１２０に印加されても、制御部１４０で遠赤外線放出部１２０の動作状態にオン状態に変更する場合にのみ遠赤外線放出部１２０がオン状態になりながら作動するようになる。
【００４８】
逆に、電源部１３０を通じて遠赤外線放出部１２０に電源が印加されても、制御部１４０で遠赤外線放出部１２０の動作状態をオフ状態に変更する場合は、遠赤外線放出部１２０がオフ状態になりながら作動が停止するようになる。
【００４９】
このような制御部１４０は、クッション胴体部１１０の一方側に設けられる  コントローラー１４０ａ−１と電気的に接続されるが、これについては、図４を参照してより具体的に説明する。
【００５０】
図４は図２に示されたコントローラー１４０ａをより具体的に示す図である。
【００５１】
図４に示すように、コントローラー１４０ａは、大きく、遠赤外線放出部１２０のオンオフ動作をユーザーの操作によって物理的に制御するための電源制御スイッチ１４０ａ−１と、遠赤外線放出部１２０の発熱温度をユーザーの操作によって物理的に制御するためのダイヤルスイッチ１４０ａ−２と、を含むことができる。また、更なる実施例では遠赤外線放出部１２０の動作モードをユーザーの操作によって物理的に制御するためのモード制御スイッチ１４０ａ−３をさらに含んで構成できる。
【００５２】
より具体的に、電源制御スイッチ１４０ａ−１は、遠赤外線放出部１２０のオンまたはオフ状態をユーザーの操作により物理的に変更するための一種のトグルスイッチを意味する。したがって、ユーザーの操作により電源制御スイッチ１４０ａ−１がオン状態に操作される場合、遠赤外線放出部１２０の動作状態がオン状態に変更されながら発熱及び遠赤外線放出が開始される。逆に、ユーザーの操作によって電源制御スイッチ１４０ａ−１がオフ状態に操作される場合、遠赤外線放出部１２０の動作状態がオフ状態に変更されながら発熱及び遠赤外線放出が中止される。かかる電源制御スイッチ１４０ａ−１は、制御部１４０の自動制御とは関係なく、ユーザーの操作を反映した即時的な動作制御をする。
【００５３】
ダイヤルスイッチ１４０ａ−２は、遠赤外線放出部１２０による発熱温度をユーザーの操作によって物理的に細かく変更するための一種の可変抵抗スイッチを意味する。したがって、ユーザーの操作によりダイヤルスイッチ１４０ａ−２が時計回りまたは反時計回りに回転するにつれて、遠赤外線放出部１２０の発熱温度が非常に微細に調整できる。この時、ダイヤルスイッチ１４０ａ−２による発熱温度の調整程度は制限されない。
【００５４】
一方、本願考案による遠赤外線乾式座浴シート１００は、外部補助バッテリーの供給電源によっても発熱及び遠赤外線放出が可能に設計されているから、無駄な電力消耗を最小化する必要がある。
【００５５】
したがって、本願考案による遠赤外線乾式座浴シート１００の制御部１４０は、自発的にユーザーの操作なしでも自動で遠赤外線放出部１２０の発熱動作を制御する。
【００５６】
このために、本考案の制御部１４０は、体重感知部１５０、照度感知部１６０、及び温度感知部１７０と接続され、各部から感知信号が伝達されることで、遠赤外線放出部１２０の発熱動作を自動で制御する。この時、制御部１４０は、ＦＥＴのようにプログラムによって自動操作されるモード制御素子（スイチング素子）を含むことができる。制御部１４０は、前記体重感知部１５０、照度感知部１６０、及び温度感知部１７０によって感知されるリアルタイム感知信号に基づいて前記ＦＥＴをプログラム的に自動操作することで遠赤外線放出部１２０の発熱状態を自動で制御することができる。
【００５７】
より具体的に、体重感知部１５０は、クッション胴体部１１０におけるユーザーが着座する位置に設けられ、ユーザーが座るとか立ち上がることによる体重変化を感知した後、体重感知信号を生成して制御部１４０へ伝達する。
【００５８】
この時、体重感知部１５０は、例えば圧電素子を用いた圧力センサーが適用されることができ、ユーザーがクッション胴体部１１０に座る場合体重変化を感知する。
【００５９】
制御部１４０では体重感知信号に基づいてユーザーの着座状態を把握するようになり、もしユーザーが着座したと判断されれば遠赤外線放出部１２０の動作を自動でオン状態に変更させることで発熱及び遠赤外線放出を開始させ、逆に、ユーザーが立ち上がったと判断されれば遠赤外線放出部１２０の動作を自動でオフ状態に変更させることで発熱及び遠赤外線放出を中止させる。
【００６０】
照度感知部１６０は、クッション胴体部１１０の貫通孔１１０ａの内側面に位置づけられ、クッション胴体部１１０へのユーザーの着座による貫通孔１１０ａ周辺の照度変化を感知した後、照度感知信号を生成して制御部１４０に伝達するようになる。
【００６１】
この時、照度感知部１６０は、光センサー（照度センサー）が適用されることができ、ユーザーがクッション胴体部１１０に座る場合ユーザーの体によって貫通孔１１０ａが暗くなる状況を感知するようになる。つまり、照度感知部１６０は貫通孔１１０ａに入って来る光が遮られる瞬間を判断してこれに基づいて照度感知信号を生成するものである。
【００６２】
制御部１４０では照度感知信号に基づいてユーザーの着座状態を把握するようになり、もしユーザーが着座したと判断されれば（照度値が既設定済みの照度値以下に下がる場合）遠赤外線放出部１２０の動作を自動でオン状態に変更させることで、発熱及び遠赤外線放出を開始させ、逆に、ユーザーが立ち上がったと判断されれば（照度値が既設定済みの照度値以上に戻るか、上がる場合）遠赤外線放出部１２０の動作を自動でオフ状態に変更させることで、発熱及び遠赤外線放出を中止させる。
【００６３】
温度感知部１７０は、クッション胴体部１１０の貫通孔１１０ａの内側面に位置づけられ、下側の遠赤外線放出部１２０の発熱温度をリアルタイムで感知して温度感知信号を生成した後、生成された温度感知信号を制御部１４０へ伝達するようになる。
【００６４】
この時、制御部１４０は、前述したコントローラー１４０ａによって自動温度調節のための基準温度を設定することができる。したがって、制御部１４０は、温度感知部１７０を介して伝達される温度感知信号が、既設定済みの基準温度より下がったか、上がったかを自動で把握した後、もし既設定済みの基準温度よりも下がったと判断されれば遠赤外線放出部１２０の発熱温度を既設定済みの基準温度分だけ上げる。逆に、基準温度よりも高いと判断されれば遠赤外線放出部１２０の発熱温度を既設定済みの基準温度分だけ下げる。このような過程を自動で繰り返すことにより、ユーザーは常時一定した温熱感を感じられるようになる。
【００６５】
なお、本考案のコントローラー１４０ａには、このような制御部１４０の自発的な自動制御動作を、ユーザーの操作によって開始させるモード制御スイッチ１４０ａ−３がさらに設けられていても良い。
【００６６】
モード制御スイッチ１４０ａ−３は、前述した電源制御スイッチ１４０ａ−１及びダイヤルスイッチ１４０ａ−２とは異なり、遠赤外線放出部１２０の動作状態及び発熱状態をユーザーが直接制御するものではない、制御部１４０にて自動で制御するようにするための一種の節電モードのためのスイッチである。前述した制御部１４０の場合、体重感知部１５０、照度感知部１６０、及び温度感知部１７０からリアルタイム感知信号を受信した後、遠赤外線放出部１２０の発熱状態を自動で制御することもでき、もしモード制御スイッチ１４０ａ−３がユーザーの操作によって選択される場合、前述した制御部１４０による自動制御動作が直ちに行われることもできる。
【００６７】
以上、本考案の好適な実施例を参照して説明したが、当該技術分野における熟練された当業者は、下記の請求の範囲に記載された本考案の思想及び範疇から逸脱することなく、本考案を多様に修正及び変更させる可能性があることを理解できるだろう。
【符号の説明】
【００６８】
１００          遠赤外線乾式座浴シート
１１０          クッション胴体部
１１０ａ        貫通孔
１２０          遠赤外線放出部
１３０          電源部
１３０ａ        ジェンダー
１３０ｂ        ＡＣアダプター
１３１          ＤＣジャック接続具
１４０          制御部
１４０ａ        コントローラー
１４０ａ−１    電源制御スイッチ
１４０ａ−２    ダイヤルスイッチ
１４０ａ−３    モード制御スイッチ
１５０          体重感知部
１６０          照度感知部
１７０          温度感知部
【図１】
0003234096.tif 000003
【図２】
0003234096.tif 000004
【図３】
0003234096.tif 000005
【図４】
0003234096.tif 000006